【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
オーディオ／ビデオ（A/V）相互接続アーキテクチャの送信（TX）A/Vエンドポイントであって、
A/Vソースコンポーネントに結合され、及び該A/Vソースコンポーネントから少なくともネイティブオーディオを受信するよう構成された、少なくとも１つの受信（RX）インタフェイスと、
前記少なくとも１つのRXインタフェイスに結合された第１のネットワークインタフェイスであって、該少なくとも１つのRXインタフェイスからネイティブオーディオを受信し、及び該ネイティブオーディオを、第１のネットワークスイッチを含む非AVB（Audio Video Bridging）準拠のEthernetネットワークを介して、前記ネイティブオーディオを処理し又は出力することができるA/Vシンクコンポーネントに結合されたRX A/Vエンドポイントへ出力するよう構成された、第１のネットワークインタフェイスと、
前記少なくとも１つのRXインタフェイスに結合され、及び前記ネイティブオーディオのステレオダウンミックスバージョンを生成するよう構成された、ダウンミックスオーディオディジタル信号プロセッサ（DSP）と、
前記ダウンミックスバージョンを、第２のネットワークスイッチを含むAVB準拠のEthernetネットワークを介して、前記ネイティブオーディオを処理し又は出力することができないオーディオシンクコンポーネントに結合されたオーディオシステムへ出力するよう構成された、第２のネットワークインタフェイスと
を含む、TX A/Vエンドポイント。
【請求項２】
前記第２のネットワークインタフェイスが、前記オーディオシンクコンポーネントに結合された前記オーディオシステムからオーディオ信号を受信し、及び該オーディオ信号を前記第１のネットワークインタフェイスへ転送するよう更に構成され、前記第１のネットワークインタフェイスが、前記非AVB準拠のEthernetネットワークを介して、前記A/Vシンクコンポーネントに結合された前記RX A/Vエンドポイントへ前記オーディオ信号を出力するよう構成されている、請求項１に記載のTX A/Vエンドポイント。
【請求項３】
前記ネイティブオーディオが、高精細度マルチメディアインタフェイス（HDMI）オーディオであり、前記ネイティブオーディオのステレオダウンミックスPCMバージョンが、ステレオダウンミックスパルスコード変調（PCM）オーディオである、請求項１に記載のTX A/Vエンドポイント。
【請求項４】
前記RXインタフェイスが、前記A/Vソースコンポーネントからネイティブビデオを受信し、該ネイティブビデオ信号を、前記A/Vシンクコンポーネントに結合された前記RX A/Vエンドポイントに前記非AVB準拠のEthernetネットワークを介して出力されるように、前記第１のネットワークインタフェイスに転送するが、該ネイティブビデオを前記ダウンミックスオーディオDSP及び前記第２のネットワークインタフェイスには提供しないよう更に構成されている、請求項１に記載のTX A/Vエンドポイント。
【請求項５】
前記ネイティブオーディオが、HDMIオーディオであり、前記ネイティブビデオが、HDMIビデオであり、前記ネイティブオーディオのステレオダウンミックスバージョンが、ステレオダウンミックスPCMオーディオである、請求項４に記載のTX A/Vエンドポイント。
【請求項６】
前記少なくとも１つのRXインタフェイスが、それぞれが複数のA/VソースコンポーネントのそれぞれのA/Vソースコンポーネントからネイティブオーディオを受信するよう構成された複数のRXインタフェイスであり、前記DSPが、それぞれのA/Vソースコンポーネントからの前記ネイティブオーディオのステレオダウンミックスPCMバージョンを生成するよう構成されており、前記第２のネットワークインタフェイスが、該ダウンミックスPCMバージョンを前記AVB準拠のEthernetネットワークを介して各A/Vソースコンポーネント毎に出力するように構成されている、請求項１に記載のTX A/Vエンドポイント。
【請求項７】
前記第１のネットワークインタフェイスが、前記非AVB準拠のEthernetネットワークを介してホストコントローラから制御信号を受信し、及び該制御信号の少なくとも一部を、前記A/Vソースコンポーネントに送信するために前記少なくとも１つのRXインタフェイスに渡すよう更に構成されている、請求項１に記載のTX A/Vエンドポイント。
【請求項８】
A/V相互接続アーキテクチャのTX A/Vエンドポイントを使用してオーディオを配信する方法であって、
該TX A/Vエンドポイントにより、A/Vソースコンポーネントから少なくともネイティブオーディオを受信し、
該TX A/Vエンドポイントにより、該ネイティブオーディオを処理し又は出力することができるA/Vシンクコンポーネントに結合されたRX A/Vエンドポイントに、該ネイティブオーディオを非AVB準拠のEthernetネットワークを介して出力し、
該TX A/Vエンドポイントにより、該ネイティブオーディオのダウンミキシングを行って、該ネイティブオーディオのステレオダウンミックスPCMバージョンを生成し、及び、
該TX A/Vエンドポイントにより、該ダウンミックスPCMバージョンを、AVB準拠のEthernetネットワークを介して、前記ネイティブオーディオを処理し又は出力することができないオーディオシンクコンポーネントに結合されたオーディオシステムへ出力する、
A/V相互接続アーキテクチャのTX A/Vエンドポイントを使用してオーディオを配信する方法、
【請求項９】
前記TX A/Vエンドポイントにより、前記オーディオシンクコンポーネントに結合された前記オーディオシステムからPCMオーディオ信号を受信し、及び、
前記TX A/Vエンドポイントにより、前記PCMオーディオ信号を、前記非AVB準拠のEthernetネットワークを介して、前記A/Vシンクコンポーネントに結合された前記RX A/Vエンドポイントへ出力する
ことを更に含む、請求項８に記載の方法。
【請求項１０】
前記ネイティブオーディオが、HDMIオーディオであり、該ネイティブオーディオの前記ステレオダウンミックスPCMバージョンが、ステレオダウンミックスPCMオーディオである、請求項８に記載の方法。
【請求項１１】
前記TX A/Vエンドポイントにより、前記A/Vソースコンポーネントからネイティブビデオを受信し、
該ネイティブビデオを、前記非AVB準拠のEthernetネットワークを介して、前記A/Vシンクコンポーネントに結合された前記RX A/Vエンドポイントに出力するが、該ネイティブビデオを、前記AVB準拠のEthernetネットワークを介して、前記オーディオシンクコンポーネントに結合された前記オーディオシステムに提供することはしない、
請求項８に記載の方法。
【請求項１２】
前記ネイティブオーディオが、HDMIオーディオであり、前記ネイティブビデオが、HDMIビデオであり、前記ネイティブオーディオの前記ステレオダウンミックスPCMバージョンが、ステレオダウンミックスPCMオーディオである、請求項１１に記載の方法。
【請求項１３】
前記TX A/Vエンドポイントにより、前記非AVB準拠のEthernetネットワークを介してホストコントローラーから制御信号を受信し、及び、
該制御信号の少なくとも一部を前記A/Vソースコンポーネントに送信する
ことを更に含む、請求項８に記載の方法。
【請求項１４】
前記非AVB準拠のEthernetネットワークを介して前記ネイティブオーディオを出力することが、第１のマルチポートネットワークスイッチへ前記ネイティブオーディオを送信し、前記AVB準拠のEthernetネットワークを介して前記ダウンミックスPCMバージョンを出力することが、第２のAVB準拠のマルチポートネットワークスイッチへ該ダウンミックスPCMバージョンを送信し、前記第１のマルチポートネットワークスイッチが少なくとも１つのリンクにより前記第２のAVB準拠のマルチポートネットワークスイッチに結合される、
請求項９に記載の方法。
【請求項１５】
A/V相互接続アーキテクチャであって、
非AVB準拠のEthernetネットワークをサポートする第１のマルチポートネットワークスイッチと、
AVB準拠のEthernetネットワークをサポートする第２のマルチポートオーディオネットワークスイッチであって、前記第１のマルチポートネットワークスイッチが少なくとも１つのリンクにより該第２のマルチポートオーディオネットワークスイッチに結合されている、第２のマルチポートオーディオネットワークスイッチと、
A/Vソースコンポーネントに結合され、及び該A/Vソースコンポーネントから少なくともネイティブオーディオを受信するよう構成され、並びに前記第１のマルチポートネットワークスイッチ及び前記第２のマルチポートオーディオネットワークスイッチに結合された、TX A/Vエンドポイントであって、前記ネイティブオーディオを前記非AVB準拠のEthernetネットワークを介した伝送のために前記第１のマルチポートネットワークスイッチへ出力し、及び該ネイティブオーディオのステレオダウンミックスバージョンを前記AVB準拠のEthernetネットワークを介して出力するよう構成された、TX A/Vエンドポイントと、
前記AVB準拠のEthernetネットワークと、前記ネイティブオーディオを処理し又は出力することができるA/Vシンクコンポーネントとに結合された、RX A/Vエンドポイントであって、前記AVB準拠のEthernetネットワークから前記ネイティブオーディオを受信し、及び該ネイティブオーディオを前記A/Vシンクコンポーネントに提供するよう構成された、RX A/Vエンドポイントと、
前記非AVB準拠のEthernetネットワークと、前記ネイティブオーディオを処理し又は出力することができないオーディオシンクコンポーネントとに結合されたオーディオシステムとを含み、
前記RX A/Vエンドポイントが、前記非AVB準拠のEthernetネットワークから前記ネイティブオーディオの前記ステレオダウンミックスバージョンを受信し、及び該ネイティブオーディオの該ステレオダウンミックスバージョンを前記オーディオシンクコンポーネントに提供するよう構成されている、
A/V相互接続アーキテクチャ。
【請求項１６】
前記TX A/Vエンドポイントが、前記オーディオシンクコンポーネントに結合された前記オーディオシステムからオーディオ信号を受信し、及び前記A/Vシンクコンポーネントに結合された前記RX A/Vエンドポイントに前記非AVB準拠のEthernetネットワークを介して前記オーディオ信号を出力するよう更に構成されている、請求項１５に記載のA/V相互接続アーキテクチャ。
【請求項１７】
前記TX A/Vエンドポイントが、前記A/Vソースコンポーネントからネイティブビデオを受信し、及び前記A/Vシンクコンポーネントに結合された前記RX A/Vエンドポイントに前記非AVB準拠のEthernetネットワークを介して前記ネイティブビデオを出力するが、前記オーディオシンクコンポーネントに結合された前記オーディオシステムへ前記AVB準拠のEthernetネットワークを介して前記ネイティブビデオを提供しないよう更に構成される、請求項１５に記載のA/V相互接続アーキテクチャ。
【請求項１８】
前記ネイティブオーディオが、HDMIオーディオであり、前記ネイティブオーディオの前記ステレオダウンミックスバージョンが、ステレオダウンミックスPCMオーディオである、請求項１５に記載のA/V相互接続アーキテクチャ。